(57)【特許請求の範囲】
【請求項１】
エレベータの乗りかご内に設置された表示装置、および前記乗りかご内を撮影するカメラ装置に接続されたエレベータ表示システムにおいて、
前記表示装置に表示させる複数のコンテンツ情報を、それぞれ該当する利用者の属性情報および該当する階床と対応付けて登録するコンテンツ登録部と、
前記コンテンツ登録部に登録された複数のコンテンツ情報を、それぞれ設定された表示時間長で順次表示させるための出力制御情報を保持し、当該出力制御情報に基づいて前記コンテンツ登録部からコンテンツ情報を取得して前記表示装置に出力するコンテンツ出力部と、
前記カメラ装置で撮影された撮像情報を解析して、前記乗りかご内の利用者の人数および前記表示装置を注目している人の人数を計数するとともに、前記乗りかご内の利用者の属性情報を取得する解析部と、
前記解析部で計数された前記乗りかご内の利用者の人数および前記表示装置を注目している人の人数に基づいて、前記乗りかご内の利用者の前記表示装置に対する注目度を算出し、保持した出力制御情報に含まれるコンテンツ情報のうち、前記表示装置に表示されたときの前記乗りかご内の利用者の注目度が所定値よりも高いコンテンツ情報の表示時間長をより長くするとともに、前記乗りかご内の利用者の注目度が所定値よりも低いコンテンツ情報、対応付けられた利用者の属性情報が前記解析部で取得された利用者の属性情報に適合していないコンテンツ情報、および、対応付けられた階床が前記乗りかごの運行状況から特定される進行方向の進行先にないコンテンツ情報の表示時間長をより短くするかまたは表示対象から削除するように、前記出力制御情報を変更する情報更新部と、
を備えることを特徴とするエレベータ表示システム。
【請求項２】
エレベータの乗りかご内に設置された表示装置、および前記乗りかご内を撮影するカメラ装置に接続されたエレベータ表示システムにおいて、
指定されたチャンネルのコンテンツ情報を外部から入力するコンテンツ入力部と、
前記コンテンツ入力部によりコンテンツ情報を入力するチャンネルごとに設定された、利用者の属性情報および階床を、予め取得する設定情報取得部と、
複数のチャンネルのコンテンツ情報を、それぞれ設定された表示時間長で順次切り替えて表示させるための出力制御情報を保持し、当該出力制御情報に基づいて前記コンテンツ入力部にチャンネルを指定し、チャンネルを指定したことにより入力されたコンテンツ情報を前記表示装置に出力するコンテンツ出力部と、
前記カメラ装置で撮影された撮像情報を解析して、前記乗りかご内の利用者の人数および前記表示装置を注目している人の人数を計数するとともに、前記乗りかご内の利用者の属性情報を取得する解析部と、
前記解析部で計数された前記乗りかご内の利用者の人数および前記表示装置を注目している人の人数に基づいて、前記乗りかご内の利用者の前記表示装置に対する注目度を算出し、保持した出力制御情報に含まれるチャンネルのうち、前記表示装置に表示されたときの前記乗りかご内の利用者の注目度が所定値よりも高いチャンネルの表示時間長をより長くするとともに、前記乗りかご内の利用者の注目度が所定値よりも低いチャンネル、設定された利用者の属性情報が前記解析部で取得された利用者の属性情報に適合していないチャンネル、および、設定された階床が前記乗りかごの運行状況から特定される進行方向の進行先にないチャンネルのコンテンツ情報の表示時間長をより短くするかまたは表示対象から削除するように、前記出力制御情報を変更する情報更新部と、
を備えることを特徴とするエレベータ表示システム。
【発明の詳細な説明】
【技術分野】
【０００１】
本発明の実施形態は、エレベータ表示システムに関する。
【背景技術】
【０００２】
従来、多くのエレベータでは、乗りかご内に表示装置が設置されている。この表示装置には、乗りかごの現在位置やエレベータの運行状況のみならず、ニュースや広告等の複数のコンテンツ情報をローテーションさせながら表示させる場合がある。ローテーションとは、情報の切替や、循環による再表示を言う。
【０００３】
乗りかご内の表示装置に様々なコンテンツ情報を表示させることで、エレベータの利用者は乗りかごでの移動時間を利用してコンテンツ情報を視聴することができ、時間を有効利用することができる。
【先行技術文献】
【特許文献】
【０００４】
【特許文献１】特開２０１１−２３０８６２号公報
【発明の概要】
【発明が解決しようとする課題】
【０００５】
上述したように、エレベータ内の表示装置に複数のコンテンツ情報を表示させる場合、利用者が注目しているか否かに関係なく、予め設定された時間長で各コンテンツ情報がローテーションで出力される。
【０００６】
そのため、出力されても利用者の興味をひかず、コンテンツ情報が有効に視聴されない場合があるという問題があった。
【０００７】
本発明は上記事情に鑑みてなされたものであり、利用者の興味の度合いに応じて、エレベータの乗りかご内の表示装置への、コンテンツ情報の表示を制御するエレベータ表示システムを提供することを目的とする。
【課題を解決するための手段】
【０００８】
上記目的を達成するための実施形態によれば、エレベータ表示システムは、コンテンツ登録部とコンテンツ出力部と解析部と情報更新部とを有する。コンテンツ登録部は、乗りかご内に設置された表示装置に表示させる複数のコンテンツ情報を、それぞれ該当する利用者の属性情報および該当する階床と対応付けて登録する。コンテンツ出力部は、保持した出力制御情報に基づいて、登録したコンテンツ情報を取得して表示装置に出力する。解析部は、乗りかご内を撮影するカメラ装置で撮影された撮像情報を解析して、乗りかご内の利用者の人数および表示装置を注目している人の人数を計数するとともに、乗りかご内の利用者の属性情報を取得する。情報更新部は、解析部で計数された乗りかご内の利用者の人数および表示装置を注目している人の人数に基づいて、乗りかご内の利用者の表示装置に対する注目度を算出し、保持した出力制御情報に含まれるコンテンツ情報のうち、表示装置に表示されたときの乗りかご内の利用者の注目度が所定値よりも高いコンテンツ情報の表示時間長をより長くするとともに、乗りかご内の利用者の注目度が所定値よりも低いコンテンツ情報、対応付けられた利用者の属性情報が解析部で取得された利用者の属性情報に適合していないコンテンツ情報、および、対応付けられた階床が乗りかごの運行状況から特定される進行方向の進行先にないコンテンツ情報の表示時間長をより短くするかまたは表示対象から削除するように、出力制御情報を変更する。
【図面の簡単な説明】
【０００９】
【図１】第１実施形態によるエレベータ表示システムの構成を示すブロック図。
【図２】第1実施形態によるエレベータ表示システムの動作を示すシーケンス図。
【図３】第２実施形態によるエレベータ表示システムの構成を示すブロック図。
【図４】第２実施形態によるエレベータ表示システムの動作を示すシーケンス図。
【図５】他の実施形態によるエレベータ表示システムの構成を示す全体図。
【発明を実施するための形態】
【００１０】
《第１実施形態》
〈第1実施形態によるエレベータ表示システムの構成〉
本発明の第１実施形態によるエレベータ表示システムの構成について、図１を参照して説明する。
【００１１】
本実施形態によるエレベータ表示システム１Ａは、エレベータの乗りかご２内に設置された表示装置３およびカメラ装置４と、建物内の管理室に設置されたコンテンツ登録装置５およびコンテンツ出力装置６と、当該エレベータの機械室に設置された映像解析装置７および情報更新装置８とを備える。
【００１２】
カメラ装置４は、表示装置３の近傍の乗りかご２内を俯瞰する位置に設置され、乗りかご２内を撮影する。
【００１３】
コンテンツ登録装置５は、表示装置３に表示させるための複数のコンテンツ情報を登録する。
【００１４】
コンテンツ出力装置６は、コンテンツ登録装置５に登録された複数のコンテンツ情報を、それぞれ設定された表示時間長で順次ローテーション表示させるための出力制御情報を保持し、当該出力制御情報に基づいてコンテンツ登録装置５からコンテンツ情報を取得して表示装置３に出力する。
【００１５】
映像解析装置７は、映像解析部７１と、解析情報保存部７２とを有する。
【００１６】
映像解析部７１は、カメラ装置４で撮影され生成された映像情報を既知の技術により解析し、乗りかご２内の利用者を検出して利用者人数を計数し、さらに各利用者の視線を検出して表示装置３を注目している人の人数（注目人数）を計数する。
【００１７】
解析情報保存部７２は、映像解析部７１の解析処理により取得された利用者人数および注目人数を保存する。
【００１８】
情報更新装置８は、解析情報保存部７２に保存された情報に基づいて、利用者人数に対する注目人数の割合を算出することで、乗りかご２内の利用者の表示装置３に対する注目度を算出する。そして、算出した注目度が所定値よりも高いときには、該当するコンテンツ情報の表示時間長をより長くし、所定値よりも低いときには該当するコンテンツ情報の表示時間長をより短くするかまたは該当するコンテンツ情報を表示対象から削除するように、コンテンツ出力装置６に保持された出力制御情報を変更する。
【００１９】
〈第1実施形態によるエレベータ表示システムの動作〉
次に、本実施形態によるエレベータ表示システム１Ａの動作について、図２のシーケンス図を参照して説明する。
【００２０】
まず、コンテンツ登録装置５から情報更新装置８に対し、現在コンテンツ登録装置５に登録されている複数のコンテンツ情報のインデックス情報が通知される（Ｓ１）。
【００２１】
また、コンテンツ出力装置６から情報更新装置８に対し、現在コンテンツ出力装置６に保持されている出力制御情報が通知される（Ｓ２）。出力制御情報には、コンテンツ登録装置５に登録されている複数のコンテンツ情報のうち、表示装置３に表示させるコンテンツ情報の識別情報、それぞれのコンテンツ情報の表示時間長および表示順序を示す情報が含まれる。
【００２２】
次に、カメラ装置４で乗りかご２内を撮影した映像情報が映像解析装置７に送信され、映像解析部７１で取得される（Ｓ３）。
【００２３】
映像解析部７１では、取得された映像情報が解析され、乗りかご２内の利用者が検出されて利用者人数が計数され、さらに各利用者の視線が検出されて表示装置３を注目している人の人数（注目人数）が計数される（Ｓ４）。
【００２４】
解析処理により取得された解析情報（利用者人数および注目人数）は、解析情報保存部７２に保存される。保存された情報は、情報更新装置８に送信される（Ｓ５）。
【００２５】
情報更新装置８では、解析情報保存部７２に保存された情報に基づいて、乗りかご２内の利用者の表示装置３に対する注目度が算出される。
【００２６】
そして、算出した注目度が所定値よりも高いときには、該当するコンテンツ情報の表示時間長をより長くし、所定値よりも低いときには該当するコンテンツ情報の表示時間長をより短くするかまたは該当するコンテンツ情報を表示対象から削除するように、ステップＳ２で取得した出力制御情報が変更される。変更された出力制御情報はコンテンツ出力装置６に送信される（Ｓ６）。
【００２７】
コンテンツ出力装置６では、次のローテーション表示からは、情報更新装置８により更新された情報更新装置に従って表示処理を行うように切り替えられ、コンテンツ登録装置５に登録された該当するコンテンツ情報が取得され、表示装置３に出力される（Ｓ７）。
【００２８】
以上の本実施形態によれば、乗りかご内の利用者の注目度に応じて、乗りかご内の表示装置へのコンテンツ情報の表示状態を変更することで、利用者に有効なコンテンツ情報を提供することができる。
【００２９】
《第２実施形態》
〈第２実施形態によるエレベータ表示システムの構成〉
本発明の第２実施形態によるエレベータ表示システム１Ｂの構成について、図３を参照して説明する。
【００３０】
本実施形態によるエレベータ表示システム１Ｂは、コンテンツ登録装置５に替えてコンテンツ入力装置９を備える他は、第１実施形態によるエレベータ表示システム１Ａの構成と同様であるため、同一機能を有する部分の詳細な説明は省略する。
【００３１】
コンテンツ入力装置９は、指定されたチャンネルのコンテンツ情報を外部から入力する。
【００３２】
また本実施形態においてコンテンツ出力装置６は、複数のチャンネルのコンテンツ情報を、それぞれ設定された表示時間長で順次切り替えて表示させるための出力制御情報を保持し、当該出力制御情報に基づいてコンテンツ入力装置９にチャンネルを指定し、チャンネルを指定したことにより入力されたコンテンツ情報を表示装置３に出力する。例えば、外部のＷｅｂサーバから入力された所定チャンネルのコンテンツ情報を、ストリーミング再生する。
【００３３】
〈第２実施形態によるエレベータ表示システムの動作〉
次に、本実施形態によるエレベータ表示システム１Ｂの動作について、図４のシーケンス図を参照して説明する。
【００３４】
まず、コンテンツ出力装置６から情報更新装置８に対し、現在コンテンツ出力装置６に保持されている出力制御情報が通知される（Ｓ１１）。
【００３５】
その後実行されるステップＳ１２〜Ｓ１５の処理は、第１実施形態で説明したステップＳ３〜Ｓ６の処理と同様であるため、詳細な説明は省略する。
【００３６】
コンテンツ出力装置６において、変更された出力制御情報が情報更新装置８から取得されると、次のローテーション表示からは変更後の出力制御情報に従って、表示装置３に出力するコンテンツ情報のチャンネルが切り替えられる（Ｓ１６）。
【００３７】
以上の本実施形態によれば、乗りかご内の利用者の注目度に応じて、乗りかご内の表示装置へのコンテンツ情報の表示状態を変更することで、利用者に有効なコンテンツ情報を提供することができる。
【００３８】
《第３実施形態》
〈第３実施形態によるエレベータ表示システムの構成〉
本発明の第３実施形態によるエレベータ表示システム１Ｃの構成は、第１実施形態によるエレベータ表示システム１Ａの構成と同様であるため、同一機能を有する部分の詳細な説明は省略する。
【００３９】
本実施形態においてコンテンツ登録装置５は、表示装置３に表示させるための複数のコンテンツ情報に、それぞれ該当する利用者の属性情報や、該当する階床を対応付けて登録する。コンテンツ情報に対応付ける利用者の属性情報としては例えば、年齢層や、性別に関する情報などがある。また、コンテンツ情報に階床を対応付ける例としては、子供服に関するコンテツ情報に、子供服売り場のある３階を対応付ける場合等がある。
【００４０】
映像解析部７１は、カメラ装置４で撮影された撮像情報を解析することにより、乗りかご２内の利用者の属性情報を取得する。
【００４１】
解析情報保存部７２は、映像解析部７１の解析処理により取得された利用者の属性情報を保存する。
【００４２】
情報更新装置８は、解析情報保存部７２に保存された情報に基づいて、乗りかご２内の利用者の属性情報のうち所定の条件を満たす属性情報を、出力制御情報の更新処理に用いる有効な属性情報として取得する。
【００４３】
また情報更新装置８は、エレベータ制御盤（図示せず）から、乗りかご２の運行状況を、出力制御情報の更新処理に用いる有効な属性情報として取得する。
【００４４】
また情報更新装置８は、保持した出力制御情報に含まれる各コンテンツ情報に対応付けられた属性情報が、有効な属性情報として取得した情報に適合しているか否かを判断し、適合していないと判断したときには、当該コンテンツ情報の表示時間長をより短くするかまたは該当するコンテンツ情報を表示対象から削除するように、出力制御情報を変更する。
【００４５】
〈第３実施形態によるエレベータ表示システムの動作〉
次に、本実施形態によるエレベータ表示システム１Ｃの動作について、図２のシーケンス図を参照して説明する。
【００４６】
まず、コンテンツ登録装置５から情報更新装置８に対し、現在コンテンツ登録装置５に登録されている複数のコンテンツ情報のインデックス情報が通知される（Ｓ１）。
【００４７】
また、コンテンツ出力装置６から情報更新装置８に対し、現在コンテンツ出力装置６に保持されている出力制御情報が通知される（Ｓ２）。
【００４８】
次に、カメラ装置４で乗りかご２内を撮影した映像情報が映像解析装置７に送信され、映像解析部７１で取得される（Ｓ３）。
【００４９】
映像解析部７１では、取得された映像情報が既知の技術により解析され、乗りかご２内の利用者の年齢層や性別などの属性情報が取得される（Ｓ４）。
【００５０】
解析処理により取得された属性情報は、解析情報保存部７２に保存される。保存された情報は、情報更新装置８に送信される（Ｓ５）。
【００５１】
情報更新装置８では、解析情報保存部７２に保存された情報に基づいて、乗りかご２内の利用者の属性情報のうち、有効な属性情報が取得される。例えば、解析情報保存部７２に保存された複数利用者の属性情報のうち、最多の属性情報や、所定人数以上が該当する属性情報などが、出力制御情報の更新処理に用いる有効な属性情報として取得される。
【００５２】
また情報更新装置８では、エレベータ制御盤（図示せず）から、乗りかご２の運行状況が、出力制御情報の更新処理に用いる有効な属性情報として取得される。
【００５３】
さらに情報更新装置８では、保持した出力制御情報に含まれる各コンテンツ情報に対応付けられた属性情報が、有効な属性情報として取得されたものに適合しているか否かが判断される。
【００５４】
例えば、保持した出力制御情報に含まれるコンテンツ情報が子供向けのコンテンツ情報（属性情報「子供」）であり、乗りかご２内の利用者の属性情報のうち有効な属性情報として取得された情報が「大人」である場合、属性情報が適合していないと判断される。
【００５５】
また、保持した出力制御情報に含まれるコンテンツ情報に対応付けられた階床が、取得した運行状況から特定される進行方向の進行先にあるか否かが判断され、進行先にないと判断されたときには、有効な属性情報として取得された情報に適合していないと判断される。
【００５６】
ここで有効な属性情報として取得された情報に適合していないと判断されたときには、当該コンテンツ情報の表示時間長をより短くするかまたは該当するコンテンツ情報を表示対象から削除するように、出力制御情報が変更される。変更された出力制御情報はコンテンツ出力装置６に送信される（Ｓ６）。また、ステップＳ１で取得したコンテンツ情報のインデックス情報に基づいて、有効な属性情報として取得された情報に適合するコンテンツ情報を追加するようにしてもよい。
【００５７】
コンテンツ出力装置６では、情報更新装置８により更新された情報更新装置に従って表示処理を行うように切り替えられ、コンテンツ登録装置５に登録されたコンテンツ情報が取得され、表示装置３に出力される（Ｓ７）。
【００５８】
以上の本実施形態によれば、乗りかご内の利用者の属性情報や乗りかごの運行状況に適合したコンテンツ情報が表示されるように、表示装置へのコンテンツ情報の表示状態を変更することで、利用者に有効なコンテンツ情報を提供することができる。
【００５９】
また、上述した第２実施形態で説明したように表示させるコンテンツ情報をチャンネルで切り替える場合に、第３実施形態で説明したように変更処理された出力制御情報を用いてもよい。この場合、チャンネルごとに設定された属性情報や階床の情報を、予め取得しておくようにする。
【００６０】
また上述した第１実施形態〜第３実施形態において、予め出力制御情報を設定する際、または出力制御情報を更新する際に、時間帯によってコンテンツ情報内容を変更するようにしてもよい。
【００６１】
また、上述した第１実施形態〜第３実施形態においてはエレベータ表示システムで１台の乗りかごの表示装置の表示を制御する場合について説明したが、これには限定されず、図５に示すように、１台の情報更新装置８により、複数の乗りかご２−１〜２−４の表示装置３−１〜３−４の表示を制御するように構成してもよい。
【００６２】
この場合、乗りかご２−１〜２−４にそれぞれ設置されたカメラ装置４−１〜４−４で撮影された映像情報を、それぞれ接続された映像解析装置７−１〜７−４で解析して保存する。そして保存された情報に基づいて、情報更新装置８において表示装置３−１〜３−４それぞれに対する表示制御情報を変更処理し、コンテンツ分配装置１０に対し、該当する表示装置３−１〜３−４へのコンテンツ情報の分配を指示することで、集中管理が行われる。
【００６３】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００６４】
１Ａ、１Ｂ、１Ｃ  エレベータ表示システム
２  乗りかご
３、３−１〜３−４  表示装置
４、４−１〜４−４  カメラ装置
５  コンテンツ登録装置
６  コンテンツ出力装置
７、７−１〜７−４  映像解析装置
８  情報更新装置
９  コンテンツ入力装置
１０  コンテンツ分配装置
７１  映像解析部
７２  解析情報保存部
７３  解析情報保存部
【図１】
0005902219.tif 000002
【図２】
0005902219.tif 000003
【図３】
0005902219.tif 000004
【図４】
0005902219.tif 000005
【図５】
0005902219.tif 000006